(57)【要約】  本発明は、一般的にはマルチサービスアンテナシステムアセンブリに関している。このマルチサービスアンテナシステムアセンブリは、サポート（５）によって固定された一つのアンテナ、又はサポート（５）によって一緒にグループ化された少なくとも２つのアンテナを含み得る。このサポートは、例えばプラスチックパッキングであり得る。本発明は特に、このアンテナアセンブリが自動車のバックミラーに、及び外部バックミラーに位置されているときにはさらに特に、特に有用である。
2008505576.tif 000002
【特許請求の範囲】
【請求項１】
少なくとも一つのアンテナを含むマルチサービスアンテナシステムアセンブリであって、各々のアンテナがベース上に設置されて、それによって全ての前記ベースがサポートによって一緒にグループ化されている、マルチサービスアンテナシステムアセンブリ。
【請求項２】
少なくとも一つのアンテナを備えるマルチサービスアンテナシステムアセンブリであって、各々のアンテナがサポート部材によって支持されている、マルチサービスアンテナシステムアセンブリ。
【請求項３】
少なくとも一つのアンテナがプリント回路基板の表面上に置かれていて、前記プリント回路基板が前記サポート部材に固定されている、請求項１又は２に記載のマルチサービスアンテナシステムアセンブリ。
【請求項４】
前記プリント回路基板が前記サポート部材の中に少なくとも部分的に埋め込まれている、前出の請求項のいずれかに記載のマルチサービスアンテナシステムアセンブリ。
【請求項５】
少なくとも一つのプリント回路基板が少なくとも一つのエレクトロニクス要素を組み込んでおり、前記少なくとも一つのエレクトロニクス要素が前記サポート部材の中に埋め込まれている、前出の請求項のいずれかに記載のマルチサービスアンテナシステムアセンブリ。
【請求項６】
少なくとも一つのアンテナが少なくとも部分的に空間充填曲線又はグリッド次元曲線としての形状を有している、前出の請求項のいずれかに記載のマルチサービスアンテナシステムアセンブリ。
【請求項７】
前記曲線が1.5より大きいか又は1.9より大きいボックスカウント次元又はグリッド次元を示す、請求項６に記載のマルチサービスアンテナシステムアセンブリ。
【請求項８】
前記曲線が実質的にヒルベルト曲線としての形状を有している、請求項６又は７に記載のマルチサービスアンテナシステムアセンブリ。
【請求項９】
i）ラジオ通信サービス、ii）電話通信サービス、iii）ＧＰＳ位置決めサービス、iv）i、ii、iiiの任意の組み合わせ、を備えるグループから選択された通信又は位置決めサービスを提供する、前出の請求項のいずれかに記載のマルチサービスアンテナシステムアセンブリ。
【請求項１０】
ＤＴＢ、ＰＣＳ１９００、ＫＰＣＳ、ＣＤＭＡ、ＷＣＤＭＡ、ＴＤＭＡ、ＵＭＴＳ、ＴＡＣＳ、ＥＴＡＣＳ、ＳＤＡＲＳ、ＷｉＦｉ、ＷｉＭＡＸ、ＵＷＢ、ブルートゥース、ジグビーを備えるグループから選択された通信サービスを提供する、前出の請求項のいずれかに記載のマルチサービスアンテナシステムアセンブリ。
【請求項１１】
第1のプリント回路基板が空間充填曲線としての形状を有するＦＭアンテナを備えており、前記エレクトロニクス要素が前記プリント回路基板の一端に設置されている、前出の請求項のいずれかに記載のマルチサービスアンテナシステムアセンブリ。
【請求項１２】
前記サポート部材の上に且つ前記第１のプリント回路基板に関して実質的に垂直に支持された第２のプリント回路基板を備えており、前記第２のプリント回路基板が電話アンテナを含んでいる、請求項１１に記載のマルチサービスアンテナシステムアセンブリ。
【請求項１３】
前記電話アンテナが、セルラー電話のためのＧＳＭデュアルバンドアンテナ又はマルチバンドアンテナである、請求項１２に記載のマルチサービスアンテナシステムアセンブリ。
【請求項１４】
前記サポート部材がプラスチック材料からできており、それが前記第1のプリント回路基板と前記少なくとも一つのエレクトロニクス要素との上にオーバーモールドされている、前出の請求項のいずれかに記載のマルチサービスアンテナシステムアセンブリ。
【請求項１５】
前記第1及び第2のプリント回路基板が実質的に同じ平面上に又は実質的に平行な平面上に置かれている、請求項１１又は１２に記載のマルチサービスアンテナシステムアセンブリ。
【請求項１６】
前記第1のプリント回路基板がさらに電話アンテナを含む、請求項１から１１のいずれかに記載のマルチサービスアンテナシステムアセンブリ。
【請求項１７】
請求項１から１６のいずれかに記載のマルチサービスアンテナシステムアセンブリを含む、車両のバックミラーアセンブリ。
【請求項１８】
前記サポート部材が前記バックミラーアセンブリの中に収納されている、請求項１７に記載のバックミラーアセンブリ。
【請求項１９】
ＧＰＳアンテナを含む、請求項１７又は請求項１８に記載のバックミラーアセンブリ。
【請求項２０】
前記ＧＰＳアンテナがマイクロストリップパッチアンテナである、請求項１９に記載のバックミラーアセンブリ。
【請求項２１】
前記ＧＰＳアンテナが防水パッケージの中に収納されており、前記パッケージが前記ミラーアセンブリの金属製内部ブラケットに固定されている、請求項１９又は請求項２０に記載のバックミラーアセンブリ。
【請求項２２】
前記マルチサービスアンテナシステムアセンブリが前記ミラーアセンブリの金属製内部ブラケットに搭載されている、請求項１７から２１のいずれかに記載のバックミラーアセンブリ。
【請求項２３】
外部バックミラーアセンブリである、請求項１７から２２のいずれかに記載のバックミラーアセンブリ。
【請求項２４】
前出の請求項のいずれかに記載のバックミラーアセンブリを備えた車両。
【発明の詳細な説明】
【技術分野】
【０００１】
本発明は、一般的にはマルチサービスアンテナシステムアセンブリに関する。このマルチサービスアンテナシステムアセンブリは、サポートによって固定された一つのアンテナか、あるいは、サポートによって一緒にグループ化された少なくとも２つのアンテナを含み得る。サポートは、例えばプラスチックパッキングであり得る。本発明は特に、アンテナアセンブリが自動車のバックミラーに位置しているときに、及び外部バックミラーに位置しているときにはさらに特に、有用であるが、他のアプリケーションにおいても有用性を有し得る。
【背景技術】
【０００２】
現在まで、自動車に含まれる通信サービスはいくつかのシステム、主にアナログラジオの受信（ＡＭ／ＦＭバンド）に限られていた。これらのシステムに対する最も普通の解決策は、カールーフに搭載された典型的なホイップアンテナ（むち形アンテナ）である。自動車分野における現在の傾向は、アンテナシステムを車体構造に埋め込むことによって、そのようなホイップアンテナの審美的且つ空力学的なインパクトを低減することである。また、いくつかの通信サービスの単一アンテナへの過半の一体化は、製造コスト、又は破壊行為及び洗車システムによるダメージを低減するために、特に魅力的である。
【０００３】
アンテナの一体化は、われわれが情報社会に向けた深遠な文化上の変化を手助けしていくにつれて、より一層必要になってきている。インターネットは、世界中の人々が情報を期待し、要求し、且つ受領する情報時代を喚起してきた。車の運転者は、電子メールや電話の呼び出しを処理し且つ指示、スケジュール、及びワールドワイドウエブ（ＷＷＷ）上でアクセス可能なその他の情報を獲得しながら、安全に運転できることを期待する。テレマチック装置は、当局に事故を自動的に通知し、救助隊をその車まで導き、盗難車両を追跡し、運転者にナビゲーション援助を提供し、緊急のロードサービス及びエンジン機能の遠隔診断を呼ぶために、使用されることができる。
【０００４】
先進通信機器及びサービスの車及びその他の自動車車両への搭載は非常に最近のことであり、最初は、トップレベルの高級車のために考えられた。しかし、機器及びサービスの両方のコストにおける迅速な低減は、テレマチック製品を中価格の自動車にもたらしている。広い範囲のそのような新しいシステムの大量導入は、アンテナに対する一体化の解決策が使われない限り、審美的及び空力学的な傾向に反して、車の車体上でのアンテナの増殖を引き起こすだろう。
【０００５】
一方、図１１は、空間充填曲線の例を示している。空間充填曲線１５０１〜１５１４は、アンテナのデザインのための従来技術の空間充填曲線の例である。空間充填曲線は、それが置かれている表面又は容積を、曲線であることの線形特性を保ちながら効率的な方法で充填する。
【０００６】
他の可能な定義の中で、空間充填曲線は、動作自由空間波長の数分の一よりも短い多数の接続された直線セグメントから構成された非周期的な曲線として定義されることができる。このとき、これらのセグメントは、隣接して接続されたセグメントのいずれもがより長い直線セグメントを形成せず、且つ前記セグメントのいずれもがお互いに交差しないように、配列されている。
【０００７】
図１３〜２２は、グリッド次元がどのように計算されるかの一例を示している。曲線のグリッド次元（図１３を参照）は、以下のように計算され得る。長さＬ１の正方形セルを有する第1のグリッド（１７００）は、グリッドが曲線を完全にカバーするように、曲線のジオメトリ上に置かれる。曲線の少なくとも一部を取り囲む第1のグリッド内のセルの数（Ｎ１）がカウントされる。次に、長さＬ２の正方形セルを有する第2のグリッド（１８００）（図１４）が、同様に曲線のジオメトリを完全にカバーするように置かれて、曲線の少なくとも一部を取り囲む第２のグリッド内のセルの数（Ｎ２）がカウントされる。加えて、第１及び第２のグリッドは、グリッドの一つの縁におけるどの行又は列の全体も曲線の少なくとも一部を取り囲み損ねることがないように、曲線を取り囲む最小限の四辺形エリアの中に位置される。第1のグリッドは、好ましくは少なくとも２５個のセルを含み、第2のグリッドは、好ましくは第1のグリッドの4倍の数のセルを含む。これより、第2のグリッドの各々の正方形セルの長さ（Ｌ２）は、第１のグリッドの各々の正方形セルの長さ（Ｌ１）の１／２となる。そのときには、グリッド次元（Ｄｇ）は以下の式で計算され得る。
【数１】
2008505576.tif 000003
【０００８】
本願の目的のために、グリッド次元曲線という用語は、１（１）よりも大きなグリッド次元を有する曲線ジオメトリを記述するために使用される。グリッド次元が大きいほど、特定の周波数又は波長で動作するアンテナに関して、そのグリッド次元曲線によって達成され得る小型化の度合いが高くなる。加えて、グリッド次元曲線は、いくつかの場合には、上記で定義された空間充填曲線の要件もまた、満足し得る。したがって、本願の目的のために、空間充填曲線はグリッド次元曲線の一つのタイプである。
【０００９】
図１２は、およそ２（２）のグリッド次元を有するグリッド次元曲線を形成する例示的な２次元アンテナ（１６００）を示す。図１３は、３２個（３２）の正方形セルを有する第１のグリッド（１７００）内に囲まれた図１２のアンテナ（１６００）を示しており、各々のセルは長さＬ１を有している。図１４は、１２８個（１２８）の正方形セルを有する第２のグリッド（１８００）内に囲まれた同じアンテナ（１６００）を示しており、各々のセルは長さＬ２を有している。第１のグリッド（１７００）における各々の正方形セルの長さ（Ｌ１）は、第２のグリッド（１８００）における各々の正方形セルの長さ（Ｌ２）の２倍である（Ｌ２＝２×Ｌ１）。図１４及び図１５を調べると、アンテナ（１６００）の少なくとも一部が、第１及び第２のグリッド（１７００）、（１８００）の両方において全ての正方形セル内に囲まれていることがわかる。したがって、上記のグリッド次元（Ｄｇ）等式におけるＮ１の値は３２（３２）（すなわち、第１のグリッド８０１のセルの全数）であり、Ｎ２の値は１２８（１２８）（すなわち、第２のグリッド８０２のセルの全数）である。上記の等式を使用すると、アンテナ８００のグリッド次元は、以下のように計算され得る。
【数２】
2008505576.tif 000004
グリッド次元のより正確な計算のために、正方形セルの数が最大量まで増加され得る。グリッド内のセルの最大数は、曲線の解像度に依存する。セルの数が最大に近付くにつれて、グリッド次元の計算はより正確になる。しかし、最大数よりも多くのセルを有するグリッドが選択されると、そのときには、グリッド次元計算の正確さは低減し始める。典型的には、グリッド内のセルの最大数は１０００個（１０００）である。
【００１０】
例えば、図１５は、５１２個（５１２）の正方形セルを有する第３のグリッド１９００内に囲まれた同じアンテナ１６００を示しており、各々のセルは長さＬ３を有している。第３のグリッド１９００内のセルの長さ（Ｌ３）は、図１８に示される第２のグリッド１８００内のセルの長さ（Ｌ２）の１／２である。上記のように、アンテナ１６００の一部は第２のグリッド１８００内の全ての正方形セル内に囲まれており、これより、第２のグリッド１８００に対するＮの値は１２８（１２８）である。しかし、図８Ｄを調べると、アンテナ８００が第３のグリッド１９００の５１２個（５１２）のセルのうちの５０９個（５０９）のみの内部に囲まれていることがわかる。したがって、第３のグリッド１９００に対するＮの値は５０９（５０９）である。図８Ｃ及び図８Ｄを使用して、アンテナ８００のグリッド次元（Ｄ）に対するより正確な値が、以下の様にして計算され得る。
【数３】
2008505576.tif 000005
図１６及び１７は、ボックスカウント次元がどのようにして計算されるかの代替的な例を示している。このアンテナは導電パターンを備えており、少なくともその一部は曲線を含み、その曲線は少なくとも５つのセグメントを備えており、その少なくとも５つのセグメントの各々は曲線内の各隣接セグメントとある角度を成し、セグメントの少なくとも３つは、アンテナの最長の自由空間動作波長の１／１０よりも短い。隣接セグメント間の各々の角度は１８０°よりも小さく、隣接セクションの間の角度の少なくとも２つは１１５°よりも小さく、角度の少なくとも２つは等しくない。曲線は、四辺形エリアの内側にフィットし、その四辺形エリアの最長の辺は、アンテナの最長の自由空間動作波長の１／５よりも短い。
【発明の開示】
【発明が解決しようとする課題】
【００１１】
本発明の一つの局面は、アンテナの少なくとも一部を形成する曲線のボックスカウント次元である。表面上に横たわる所与のジオメトリに対して、このボックスカウント次元は以下のようにして計算される。第１に、サイズＬ１のボックスを有するグリッドが、グリッドがそのジオメトリを完全にカバーするようにジオメトリ上に置かれ、ジオメトリの少なくとも１点を含むボックスの数Ｎ１がカウントされる。第２に、サイズＬ２（Ｌ２はＬ１よりも小さい）のボックスを有するグリッドがまた、グリッドがそのジオメトリを完全にカバーするようにジオメトリ上に置かれ、ジオメトリの少なくとも１点を含むボックスの数Ｎ２が再びカウントされる。ボックスカウント次元Ｄは、それから
【数４】
2008505576.tif 000006
として計算される。本発明に関して、ボックスカウント次元は、第１及び第２のグリッドをアンテナの曲線を囲む最小の四辺形エリアの内側に置き、上記のアルゴリズムを適用することによって計算される。
【００１２】
第１のグリッドは、四辺形エリアが少なくとも５×５のボックス又はセルのアレイにメッシュされるように選ばれ、第２のグリッドは、Ｌ２＝１／２Ｌで且つ第２のグリッドが少なくとも１０×１０のボックスを含むように選ばれる。最小の四辺形エリアによって、そのようなエリアが、グリッドの縁の行又は列の全体に渡って曲線のどの部分も含まないものはないということが理解されるであろう。これより、本発明の実施形態のいくつかは1.17よりも大きなボックスカウント次元を示し、要求される小型化の度合いが高いアプリケーションでは、デザインは1.5から３の範囲（境界の値を含む）のボックスカウント次元を示す。いくつかの実施形態では、約２のボックスカウント次元を有する曲線が好適である。例えば最大サイズがアンテナの最長の自由空間動作波長の１／２０に等しい四辺形内にフィットする非常に小さなアンテナに対しては、ボックスカウント次元は、必然的により細かいグリッドを用いて計算される。それらの場合には、第１のグリッドは１０×１０の均等なセルのメッシュの形態を取り、第２のグリッドは２０×２０の均等なセルのメッシュの形態を取り、それからＤが上記の等式にしたがって計算される。プレーナデザイン、すなわちアンテナがパッケージ基板の上の単一の層に配置される小さなパッケージの場合には、アンテナジオメトリに含まれる曲線の次元がＤ＝２に近い値を有することが好ましい。
【００１３】
一般に、アンテナの所与の共振周波数に対して、ボックスカウント次元が大きいほど、アンテナによって達成される小型化の度合いが高い。アンテナの小型化能力を本発明にしたがって向上する一つの方法は、アンテナパターンの曲線のいつくかのセグメントを、曲線を囲む５×５のボックス又はセルを有する第１のグリッドの少なくとも１４個のボックスの少なくとも一点と曲線とが交差するように配置することである。また、高い度合いの小型化が必要とされる他の実施形態では、曲線は、５×５のグリッド内でボックスの少なくとも一つと２回交差する、すなわち、曲線は、グリッドのセル又はボックスの少なくとも一つの内側で２つの非隣接部分を含む。
【００１４】
外部バックミラーのような車両のある部分におけるマルチサービスアンテナシステムの設置は、多くの理由により有益である。例えば、信号の送受信が改良される。加えて、このアンテナは、車両の審美性を向上するために、搭載済みであると同時にアンテナが隠されたままの状態で、自動車メーカに配送され得る。
【００１５】
車両のある部分は、振動のような困難な機械的条件、湿度環境、及び電気部品の困難な接地に耐えなければならない。ここに開示されているマルチサービスアンテナシステムは、搭載の困難さ、及び／あるいは振動又は湿度のような極端な物理的条件のいずれかによる困難な環境におけるマルチサービスアンテナシステムの設置に関連する問題点を克服する手助けになり得る。例えば、以下の特徴が、困難な環境にアンテナを搭載することに関連する問題点を克服する手助けとなるマルチサービスアンテナシステムに含まれ得る。
−同じ物理的サポート（この場合はＦＲ４）のラジオＡＭ／ＦＭアンテナと関連した能動システムとの一体化、
−能動システム部品の防水保護、ミラーの他の部分に対するアンテナの固定及び位置を確実にし、部品の取り扱いの間にダメージがないことを確実にするためのプラスチック部品の設計、
−アンテナの性能を最適化し且つ他の装置による干渉ノイズを低減するための、ミラー内に一体化された異なるアンテナの適切な接地、
−ラジオ及び電話アンテナの間の同じ平面内での正しい分離及び位置、ならびに
−同じ外部ミラーに３つのアンテナサービスを一体化する能力。
【課題を解決するための手段】
【００１６】
本発明の一つの局面はマルチサービスアンテナシステムアセンブリに関しており、これは少なくともひとつのアンテナを備えており、各アンテナがサポート部材によって支持されている。
【００１７】
このアセンブリの少なくとも一つのアンテナは、前記サポート部材に固定されたプリント回路基板の表面に設置される。好ましくは、前記プリント回路基板は、前記サポート部材の内部に少なくとも部分的に埋め込まれている。
【００１８】
アンテナシステムアセンブリの少なくとも一つのアンテナは、少なくとも部分的に空間充填曲線又はグリッド次元曲線として設置され、これは好ましくは、1.5より大きな又は1.9より大きなボックスカウント次元又はグリッド次元を示す。
【００１９】
マルチサービスアンテナシステムアセンブリは、ラジオ通信サービス、電話通信サービス、ＧＰＳ位置決めサービス、又は前記サービスの任意の組み合わせを提供する。その目的のために、このアンテナアセンブリは、電話アンテナを含む第2のプリント回路基板を備え得て、これは、前記サポート部材上に支持されて且つ前記第１のプリント回路基板に対して垂直に設置される。好ましくは、前記電話アンテナは、セルラー電話のためのＧＳＭデュアルバンドアンテナ又はマルチバンドアンテナである。
【００２０】
本発明の他の局面は、車両のためのバックミラーアセンブリに関しており、これは、従来は保護ケースに取り付けられた一つ又は二つのミラーによって形成される。ミラーアセンブリは、本発明のマルチサービスアンテナシステムアセンブリ対象物を含む。
【発明を実施するための最良の形態】
【００２１】
明細書を完成するため且つ本発明のよりよい理解を提供するために、１セットの図面が提供される。前記図面は本明細書の一体的な一部を形成し、本発明の好適な実施形態を描くが、実施形態は本発明の範囲を制限するものとして解釈されるべきではなく、本発明がどのように具現化されることができるかの単なる一つの例として解釈されるべきである。
図面は、以下の図を備えている。
【００２２】
図１は、ミラーアセンブリ（１５）内に一体された例示的なマルチサービスアンテナシステムアセンブリの模式図を示す。このマルチサービスアンテナシステムアセンブリは第1のＰＣＢ（プリント回路基板）（１）を含み、これは、空間充填又はグリッド次元曲線（１５０１−１５１４）に基づいたアンテナ設計と、ラジオ周波数回路及び関連したフィード保護部品によって形成された能動システム（１３）とを含んでいる。好ましくは、このアンテナジオメトリは、ヒルベルト曲線に基づいた設計、あるいは1.5より大きなボックスカウント次元又はグリッド次元を有する曲線を含む。一般的に、ボックスカウント次元又はグリッド次元が大きいほど、アンテナサイズの圧縮度が高くなる。いくつかの場合には、1.9より大きな次元を有する曲線を含むアンテナが好まれる。
【００２３】
好ましくは、第1のプリント回路基板（１）は、空間充填曲線（１５０１−１５１４）及び関連した能動システム（１３）の両方を支持する。他の場合には、これら２つの要素が分かれていることが見出され得る。提案された例では、空間充填又はグリッド次元曲線は、ＦＭ受信のために最適化されている。
【００２４】
マルチサービスアンテナシステムアセンブリはさらに、ラジオ出力同軸ケーブル（２）、車両のラジオ出力に接続されたラジオＤＣフィードケーブル（３）、ＬＷ及びＭＷの受信の最適化のために設計されたアンテナケーブル（４）、ミラー内部のラジオアンテナＰＣＢを支持し且つ防水保護を確実にするように設計されたプラスチックパッケージの中に存在するサポート部材（５）を備える。このサポート部材（５）は、プラスチック又は金属の内部ブラケット（１４）の上に搭載される。あるいは、サポート部材（５）は、内部ブラケット（１４）とは別のミラーアセンブリの他の内部部分の上に搭載されることができる。
【００２５】
好適な実施形態では、サポート部材（５）にはラジオアンテナのみが設けられる。しかし、他の実施形態では、マルチサービスアンテナシステムアセンブリはまたサブアセンブリセルラーテレフォニー（電話技法）を組込んでいてもよく、これは、ラジオアンテナを支持するサポート部材（５）である同じモールドパッケージによって支持される第2のプリント回路基板（６）の上の電話アンテナを備える。
いくつかの場合には、同じＰＣＢが、空間充填又はグリッド次元アンテナと関連する能動システムと電話アンテナＰＣＢの両方を支持してもよい。
【００２６】
サブアセンブリセルラー電話技法はさらに、ＧＳＭデュアルバンド電話アンテナ（７）（銅製金属層及びプラスチックサポート）、又はあるいは、セルラー電話技法のためのマルチバンドアンテナ、及び電話出力同軸ケーブル（８）を備える。
【００２７】
マルチサービスアンテナシステムアセンブリにはサブアセンブリＧＰＳが設けられてもよく、これは、ＧＰＳアンテナ（９）、アンテナ性能を最適なするためのＧＰＳ金属サポート（１０）、及びＧＰＳ出力同軸ケーブル（１１）を備える。
【００２８】
全ての出力同軸ケーブルは、ＡＭ（ＬＷ及びＭＷ）バンドにおける干渉を避けるために、車両、例えば車の車体に接続されたミラーアセンブリ内の金属部分（１２）に接地されるべきである。好ましくは、そのような金属部分（１２）は、ミラーアセンブリ（１５）の内部ブラケット（１４）である。
【００２９】
好ましくは、ミラーの内部に搭載されたアンテナ及びケーブルルートに対する動作は、あらゆる性能の劣化を避けるために、高く制御される。この及び他の目的のために、サポート部材（５）である特定のプラスチック部品が設計されている。
【００３０】
ここで図2を参照すると、サポート部材（５）は、ミラーアセンブリ（１５）内の第1のＰＣＢ（１）の一面に支持されたラジオアンテナを支持し且つ防水保護を確実にするように設計されたプラスチックパッケージである。このパッケージは、一例として、ＡＢＳプラスチック又は他のプラスチック材料から形成されることができる。その製造のために使用される射出技法は、従来の射出又はオーバーモールド射出であってもよい。このプラスチックパッケージによって提供される例示的な機能は、
−電子部品に対する防水保護
−ミラーアセンブリラインにおける取り扱いからの保護
−アンテナのミラーブラケット上への固定構造
−他のミラー部品に対する電話及びラジオアンテナＰＣＢの正しい位置決めの確保
−ラジオアンテナに対する電話アンテナの正しい位置決めの確保
−ＰＣＢにはんだ付けされたケーブルに対する粗さの付与
−アンテナパラメータの変動及び干渉を避けるためのミラー内のラジオ及び電話アンテナのＲＦ同軸ルートの確保
を含む。
【００３１】
本発明のマルチサービスシステムアンテナアセンブリは、自動車、特にバン又はトラックの外部バックミラーに有益に位置されることができる。図１０は、そのようなバックミラーの一例を示す。これらのミラーの重要な構成部品は、アーム（１６）（短、中程度、長）、（マニュアル又は電気式）ミラー方向付けシステム（１７）、及び金属ブラケット（１４）である。本発明の一つの局面は、マルチサービスシステムアンテナアセンブリを含む車両に関している。
【００３２】
このアンテナは、左側通行のために、右側のミラーに有益に一体化されることができる。それはまた、右側通行のために左側のミラーに位置されることもできる。機械的又は電気的な観点からは、アンテナはまた、他のサイドミラーに一体化されることもできる。これは高レベルの標準化を示し、車の構造、すなわちロールーフ又はハイルーフのバン、パッセンジャーバン、キャンビングキャラバンカー、特殊バン（救急車、警察、及び消防隊）などには依存しないアンテナ搭載能力を提供する。全てのこれらの車両に対して、外部ミラーは同じままである。このようにして、車メーカは、もはやアンテナ搭載に関して心配することはない。
【００３３】
本発明の全ての可能な実施形態の中で、いくつかの例示的な配置は、
−ラジオサービスのみ
−ラジオ＋電話
−ラジオ＋電話＋ＧＰＳ
を含む。
サービスの他の組み合わせは、
−スタンドアローンの電話
−電話＋ＧＰＳ
−スタンドアローンのＧＰＳ
を含む。
他のサービス（ＤＡＢ、ＤＴＢ、ＰＣＳ１９００、ＫＰＣＳ、ＣＤＭＡ、ＷＣＤＭＡ、ＴＤＭＡ、ＵＭＴＳ、ＴＡＣＳ、ＥＴＡＣＳ、ＳＤＡＲＳ、ＷｉＦｉ、ＷｉＭＡＸ、ＵＷＢ、ブルートゥース、ジグビー）もまた、同様に一体化されることができる。サポート部材（５）のための２つのオーバーモールド形状は、２つの主要なオプションを考慮に入れて設計されている。図４に示されている一つの短いサポート部材（５）はラジオアンテナのためのみであり、図３に示されているより長いサポート部材は、ラジオアンテナと電話アンテナとを支持するためのものである。さらに、サポート部材（５）は、ミラーアセンブリ（１５）内の第1のＰＣＢ（１）のラジオアンテナを支持し、且つ防水保護を確保するように設計されている。この部品は、金属製の内部ブラケット（１４）の上にモールドされている。
【００３４】
図５及び６に示されている金属ブラケット（１４）は、その本来の機能は、電気的エンジン及びガラスを支持することである。マルチサービスアンテナシステムアセンブリが一体化されるときには、これらの部品は、以下のために使用される。
−それらに固定されたアンテナ（ＧＰＳ、ＦＭ、及びＧＳＭ）の支持
−熱的な又はモータワイヤによって放射される干渉に対するＬＷ＆ＭＷ及びＦＭアンテナの保護
−干渉を低減するためのラジオ、電話、及びＧＰＳケーブルの接地
このために、特定のコネクタ（１８）が各々の出力同軸ケーブル（２、８、及び１１）に追加されなければならない。このコネクタは、同軸及びねじの上でブラケット（１４）に直接に固定される。
【００３５】
非制限的な方法で、ＦＭアンテナの設計におけるいくつかの有益な配置は、以下のものであることができる。
−プリント回路基板は平行である。
−ＰＣＢに対して選ばれた材料は、この場合にはＦＲ−４タイプである。導電層を含む任意の誘電材料（ハード又はフレキシブル）もまた、アンテナ及び能動システムの物理的な支持のために選択されることができる。
−第1のプリント回路基板（１）と金属ブラケット（１４）との間の相対的な距離は小さくすべきである。
−損失又はアンテナ共振のシフトを避けるために、プラスチックのオーバーモールド材料は、ＰＣＢのＦＭアンテナそれ自身の部分の上には存在しないことが好ましい。
【００３６】
ＡＭ受信は、ラジオアンテナの残りから離れた特定のケーブル（４）によって達成されてもよい。ケーブルの物理的なパラメータ及びルーティングは、ミラーに対してマルチサービスアンテナアセンブリを適合し、受信を最適化し且つミラーの電気的部品（特に電気的エンジン）による干渉を最小化するように、最適化されることができる。ＡＭルートが図７に示されたような方向をたどること、すなわち、第1のプリント回路基板（１）のエッジを周回するように設置されることが有益であるが、他の方向付けも使用され得る。
【００３７】
ＡＭにおける能動システム（１３）は、アンテナ出力インピーダンスをラジオ入力インピーダンスにマッチさせるために導入されることができる。また、この能動システム（１３）は、ＡＭにおける干渉を低減するように設計されることができる。図８に示されている能動システム（１３）の導入は、ＬＷ／ＭＷアンテナによって受信されたエネルギーの無線入力への転送を最適化するために便利である。ＦＭでは、増幅は導入されず、ＦＭアンテナとラジオ入力との間のインピーダンスマッチングの最適化のみである。しかし、ＦＭ増幅は、システム構成を改変することなく、要件下で容易に導入されることができる。ＡＭインピーダンスの適合は、バッファによって理想化される。バッファの付加的な能動ステージは、他のものによる干渉を最小化するために組み込まれる。
【００３８】
図７は、電話アンテナ構成の可能な配置を示す。アンテナが搭載されている第2の（ＰＣＢ）プリント回路基板（８）は、他のいくつかのタスクの中で、以下のものを満足する。
第2の（ＰＣＢ）プリント回路基板（８）又は電話ＰＣＢは、以下のために使用される。
−アンテナ（７）の支持
−マイクロストリップライン（１９）を通じたアンテナインピーダンスの５０オームへのマッチング
−アンテナのＰＣＢ接地形状におけるフラクタル形状の導入によるアンテナ効率の改良
−ＰＣＢのために選ばれた材料は、この場合にはＦＲ−４タイプである。導電層を含む任意の誘電材料（ハード又はフレキシブル）もまた、アンテナ及び能動システムの物理的サポートのために選択されることができる。
【００３９】
さらに、電話アンテナ（７）は、２つの要素によって構成される。
−プラスチックサポート（２０）：アンテナ金属製要素に対する粗さ及びサポートの機能、
−アンテナ金属製要素：少なくともＧＳＭ９００及びＧＳＭ１８００バンドにおける共振のための設計。
アンテナジオメトリ形状は、アンテナパラメータを改良し且つそのサイズを低減するために、曲折（メアンダ）技法に基づいている。付加的な電話バンド（ＡＭＰＳ、ＰＣＳ、ＵＭＴＳ、日本標準）もまた、同じ構成を使用して、例として導入されることができる。
【００４０】
ＧＳＭアンテナの設置に関して、例えば図５及び６に示されているように第2のＰＣＢ（６）（電話ＰＣＢ）の第1のＰＣＢ（１）（ラジオＰＣＢ）に対する相対的な位置がコプレーナであるか又は少なくとも平行であるという特徴が好ましい。同じ平面内に一体化されるならば、そのときには、同じＰＣＢが、空間充填又はグリッド次元アンテナとその関連能動システムと電話アンテナＰＣＢとを支持することができる。接地コネクタ（１８）が、干渉を低減するために出力ＰＦケーブル（８）にて必要とされる。このコネクタ（１８）は、出力同軸ケーブル及びねじの上でブラケット（１４）に固定される。
【００４１】
ＧＰＳアンテナ（９）（図１０）は、好ましくはプリアンプ電子回路及び防水パッケージを含むスタンドアローンのマイクロストリップパッチである。このＧＰＳアンテナ（９）は、ＧＰＳ受信性能を改良するために、付加的な接地平面の頂部のミラーブラケット（１４）の上部部分に固定されることができる。
【００４２】
ＬＷ及びＭＷバンドにおけるＧＮＤ差動電圧レベルによる干渉を避けるために、信号ケーブルにおけるＧＮＤ接続が存在しなければならない。接地コネクタ（１８）は、干渉を低減するために出力ＲＦケーブル（１１）上に一体化される。このコネクタは、出力同軸ケーブル及びねじの上でブラケット（１４）に固定される。
【００４３】
本発明のさらなる実施形態は、添付の従属請求項に記述されている。
【００４４】
本発明は、明らかに、ここに記述されている特定の実施形態（単数又は複数）に限定されるものではなく、請求項に規定される本発明の一般的な範囲の中で、当業者によって考慮され得る任意の変化（例えば、材料、寸法、構成要素、構成などの選択に関して）もまた含む。
【図面の簡単な説明】
【００４５】
【図１】本発明のバックミラーアセンブリ対象物の模式的正面図を示す。
【図２】本発明のマルチサービスアンテナシステムアセンブリの斜視図である。
【図３】ａはラジオアンテナ及び電話アンテナの両方が存在するときのマルチサービスアンテナシステムアセンブリの正面図であり、ｂはマルチサービスアンテナシステムアセンブリの背面図である。
【図４】ラジオアンテナのみが使われるときのマルチサービスアンテナシステムアセンブリの背面図である。
【図５】バックミラーアセンブリの金属ブラケットの上に搭載されたマルチサービスアンテナシステムアセンブリの正面図である。
【図６】ａはマルチサービスアンテナシステムアセンブリのより低い正面部分の詳細図であり、ｂは同じアセンブリのより低い背面部分の詳細図である。
【図７】ａはＡＭ／ＦＭアンテナの模式的正面図であり、ｂは同じアンテナの詳細な正面図である。
【図８】ラジオ周波数電子回路の電気的ダイアグラムである。
【図９】電話アンテナ構成の模式的な描写図である。
【図１０】バックミラーアセンブリの内側に搭載されたＧＰＳアンテナの正面図である。
【図１１】従来技術にて知られている空間充填曲線の例を示す図である。
【図１２】空間充填曲線の一例を示す図である。
【図１３】第1のグリッド内の空間充填曲線を示す図である。
【図１４】第２のグリッド内の空間充填曲線を示す図である。
【図１５】第３のグリッド内の空間充填曲線を示す図である。
【図１６】第1のボックスカウントグリッド内の空間充填曲線を示す図である。
【図１７】第２のボックスカウントグリッド内の空間充填曲線を示す図である。
【図１】
2008505576.tif 000007
【図２】
2008505576.tif 000008
【図３】
2008505576.tif 000009
【図４】
2008505576.tif 000010
【図５】
2008505576.tif 000011
【図６】
2008505576.tif 000012
【図７】
2008505576.tif 000013
【図８】
2008505576.tif 000014
【図９】
2008505576.tif 000015
【図１０】
2008505576.tif 000016
【図１１】
2008505576.tif 000017
【図１２】
2008505576.tif 000018
【図１３】
2008505576.tif 000019
【図１４】
2008505576.tif 000020
【図１５】
2008505576.tif 000021
【図１６】
2008505576.tif 000022
【図１７】
2008505576.tif 000023
【手続補正書】
【提出日】平成18年6月1日(2006.6.1)
【手続補正１】
【補正対象書類名】特許請求の範囲
【補正対象項目名】全文
【補正方法】変更
【補正の内容】
【特許請求の範囲】
【請求項１】
ベース上に設置された少なくとも一つのアンテナを含むマルチサービスアンテナシステムアセンブリであって、それによって、全ての前記ベースはサポート部材によって一緒にグループ化されており、前記サポート部材は自動車車両のバックミラーの内部に搭載されるように適合されている、マルチサービスアンテナシステムアセンブリ。
【請求項２】
前記ベースがプリント回路基板であり、少なくとも一つのアンテナが前記サポート部材に固定されたプリント回路基板の表面上に置かれている、請求項１に記載のマルチサービスアンテナシステムアセンブリ。
【請求項３】
前記プリント回路基板が前記サポート部材の中に少なくとも部分的に埋め込まれている、請求項２に記載のマルチサービスアンテナシステムアセンブリ。
【請求項４】
少なくとも一つのプリント回路基板が少なくとも一つのエレクトロニクス要素を組み込んでおり、前記少なくとも一つのエレクトロニクス要素が前記サポート部材の中に埋め込まれている、請求項２又は３に記載のマルチサービスアンテナシステムアセンブリ。
【請求項５】
少なくとも一つのアンテナが少なくとも部分的に空間充填曲線又はグリッド次元曲線としての形状を有している、前出の請求項のいずれかに記載のマルチサービスアンテナシステムアセンブリ。
【請求項６】
前記曲線が1.5より大きいか又は1.9より大きいボックスカウント次元又はグリッド次元を示す、請求項５に記載のマルチサービスアンテナシステムアセンブリ。
【請求項７】
前記曲線が実質的にヒルベルト曲線としての形状を有している、請求項５又は６に記載のマルチサービスアンテナシステムアセンブリ。
【請求項８】
i）ラジオ通信サービス、ii）電話通信サービス、iii）ＧＰＳ位置決めサービス、iv）i、ii、iiiの任意の組み合わせ、を備えるグループから選択された通信又は位置決めサービスを提供する、前出の請求項のいずれかに記載のマルチサービスアンテナシステムアセンブリ。
【請求項９】
ＤＴＢ、ＰＣＳ１９００、ＫＰＣＳ、ＣＤＭＡ、ＷＣＤＭＡ、ＴＤＭＡ、ＵＭＴＳ、ＴＡＣＳ、ＥＴＡＣＳ、ＳＤＡＲＳ、ＷｉＦｉ、ＷｉＭＡＸ、ＵＷＢ、ブルートゥース、ジグビーを備えるグループから選択された通信サービスを提供する、前出の請求項のいずれかに記載のマルチサービスアンテナシステムアセンブリ。
【請求項１０】
第1のプリント回路基板が空間充填曲線としての形状を有するＦＭアンテナを備えており、前記エレクトロニクス要素が前記プリント回路基板の一端に設置されている、請求項５から９のいずれかに記載のマルチサービスアンテナシステムアセンブリ。
【請求項１１】
前記サポート部材の上に支持された第２のプリント回路基板を備えており、前記第２のプリント回路基板が電話アンテナを含んでいる、請求項１０に記載のマルチサービスアンテナシステムアセンブリ。
【請求項１２】
前記電話アンテナが、セルラー電話のためのＧＳＭデュアルバンドアンテナ又はマルチバンドアンテナである、請求項１１に記載のマルチサービスアンテナシステムアセンブリ。
【請求項１３】
前記サポート部材がプラスチック材料からできており、それが前記第1のプリント回路基板と前記少なくとも一つのエレクトロニクス要素との上にオーバーモールドされている、請求項４から１２のいずれかに記載のマルチサービスアンテナシステムアセンブリ。
【請求項１４】
前記第1及び第2のプリント回路基板が実質的に同じ平面上に又は実質的に平行な平面上に置かれている、請求項１１及び１２に記載のマルチサービスアンテナシステムアセンブリ。
【請求項１５】
前記第1のプリント回路基板がさらに電話アンテナを含む、請求項１０のいずれかに記載のマルチサービスアンテナシステムアセンブリ。
【請求項１６】
請求項１から１５のいずれかに記載のマルチサービスアンテナシステムアセンブリを含む、自動車車両のためのバックミラーアセンブリ。
【請求項１７】
前記サポート部材が前記バックミラーアセンブリの中に収納されている、請求項１６に記載のバックミラーアセンブリ。
【請求項１８】
ＧＰＳアンテナを含む、請求項１６又は請求項１７に記載のバックミラーアセンブリ。
【請求項１９】
前記ＧＰＳアンテナがマイクロストリップパッチアンテナである、請求項１８に記載のバックミラーアセンブリ。
【請求項２０】
前記マルチサービスアンテナシステムアセンブリが前記ミラーアセンブリの金属製内部ブラケットに搭載されている、請求項１６から１９のいずれかに記載のバックミラーアセンブリ。
【請求項２１】
前記ＧＰＳアンテナが防水パッケージの中に収納されており、前記パッケージが前記ミラーアセンブリの金属製内部ブラケットに固定されている、請求項２０に記載のバックミラーアセンブリ。
【請求項２２】
外部バックミラーアセンブリである、請求項１６から２１のいずれか一つに記載のバックミラーアセンブリ。
【請求項２３】
請求項１６から２２のいずれかに記載のバックミラーアセンブリを備えた車両。
【国際調査報告】
2008505576.tif 000024
2008505576.tif 000025
2008505576.tif 000026